(57)【要約】【課題】首をサポートする新たな装置を提供すること。【解決手段】サポータ２は、ユーザの少なくとも首の肩側から後頭部下部に掛かる首保持部１を有する。首保持部１は、頭を上に向けるに従いより大きな力でユーザの首及び頭を前方に押し返す力を発生させる。【選択図】図１
2018193627.tif 000002
【特許請求の範囲】
【請求項１】
ユーザの少なくとも首の肩側から後頭部下部に掛かる首保持部を有し、
前記首保持部は、頭を上に向けるに従いより大きな力でユーザの首及び頭を前方に押し返す力を発生させる
サポータ。
【請求項２】
前記首保持部は、形状保持具によって形状が保持されており、
前記形状保持具は、
少なくとも首の肩側から後頭部下部まで続く本体部分と、
前記本体部分と連続しユーザの首の左側に回り込んで続く左側部分と、
前記本体部分と連続しユーザの首の右側に回り込んで続く右側部分と、
を有する
請求項１に記載のサポータ。
【請求項３】
前記本体部分は、前記左側部分及び前記右側部分が接続される位置よりもより下方にも伸びている
請求項２に記載のサポータ。
【請求項４】
前記首保持部に接続される第１サポータベルトを有し、
前記第１サポータベルトは、前記左側部分と前記右側部分のそれぞれの前記本体部分とは反対側の端部側において接続されている
請求項２または請求項３に記載のサポータ。
【請求項５】
前記第１サポータベルトは、
ユーザの胸側を通過してユーザに固定されることによって
前記首保持部が後退することを防いでいる
請求項４に記載のサポータ。
【請求項６】
ユーザの体の胸側を通過する第２サポータベルトと、
ユーザの体の背中側を通過する第３サポータベルトと、を有し
前記第２サポータベルトと前記第３サポータベルトとで、ユーザの胴体部分を一周して密着させることによって前記第２サポータベルトと前記第３サポータベルトをユーザに固定する機能を有し、
前記第２サポータベルトと前記第３サポータベルトが接続される位置で、前記第１サポータベルトと接続される
請求項５に記載のサポータ。
【発明の詳細な説明】
【技術分野】
【０００１】
本発明は、サポータに関する。
【背景技術】
【０００２】
特許文献１には、頸椎固定帯の技術が開示されている。
【先行技術文献】
【特許文献】
【０００３】
【特許文献１】特開平１０−２０１７８４号公報
【発明の概要】
【発明が解決しようとする課題】
【０００４】
しかしながら、特許文献１に記載の固定帯においては、上を向いた状態の首を支持できない不利益がある。
【０００５】
本発明は、首をサポートする新たな装置を提供することである。
【課題を解決するための手段】
【０００６】
本発明のサポータは、ユーザの少なくとも首の肩側から後頭部下部に掛かる首保持部を有し、前記首保持部は、頭を上に向けるに従いより大きな力でユーザの首及び頭を前方に押し返す力を発生させる。
【０００７】
好適には、前記首保持部は、形状保持具によって形状が保持されており、前記形状保持具は、少なくとも首の肩側から後頭部下部まで続く本体部分と、前記本体部分と連続しユーザの首の左側に回り込んで続く左側部分と、前記本体部分と連続しユーザの首の右側に回り込んで続く右側部分と、を有する。
【０００８】
好適には、前記本体部分は、前記左側部分及び前記右側部分が接続される位置よりも下方にも伸びている。
【０００９】
好適には、前記首保持部に接続される第１サポータベルトを有し、前記第１サポータベルトは、前記左側部分と前記右側部分のそれぞれの前記本体部分とは反対側の端部側において接続されている。
【００１０】
好適には、前記第１サポータベルトは、ユーザの胸側を通過してユーザに固定されることによって前記首保持部が後退することを防いでいる。
【００１１】
好適には、ユーザの体の胸側を通過する第２サポータベルトと、ユーザの体の背中側を通過する第３サポータベルトと、を有し、前記第２サポータベルトと前記第３サポータベルトとで、ユーザの胴体部分を一周して密着させることによって前記第２サポータベルトと前記第３サポータベルトをユーザに固定する機能を有し、前記第２サポータベルトと前記第３サポータベルトが接続される位置で、前記第１サポータベルトと接続される。
【発明の効果】
【００１２】
本発明におけるサポータによって、首をサポートする新たな装置を提供することが可能となった。
【図面の簡単な説明】
【００１３】
【図１】本発明に係るサポータの首保持部を示す説明図である。
【図２】本発明に係るサポータを示す説明図である。
【図３】本発明に係るサポータの装着例を示す説明図である。
【図４】本発明に係る接続部分を示す説明図である。
【発明を実施するための形態】
【００１４】
＜第１の実施形態＞
図１は、本発明に係るサポータの首保持部を示す説明図である。
【００１５】
図１のように、首保持部１は、本体部分１０、右側部分１１ａ、及び、左側部分１１ｂを有している。
【００１６】
首保持部１は、サポータを装着したユーザの少なくとも首の肩側から後頭部下部に掛かる部材である。
首保持部１は、形状保持具により形状を保持する。首保持部は、形状保持具の他、例えば、側頭部を支える部材を備えていてもよい。
首保持部１のユーザに触れる部分は、例えば、クッション性のある素材でできている。
【００１７】
形状保持具は、本体部分１０、右側部分１１ａ、及び、左側部分１１ｂを有している。
形状保持具は、力がかかっていないときに同じ形状を保持することができる。形状保持具は、力がかかると変形するが、元の力がかかっていないときの形状に戻ろうとする力（復元力）が働く。
【００１８】
本体部分１０は、少なくとも首の肩側から後頭部下部までを保持する。本体部分１０の上側は、後頭部下部に位置する。本体部分１０の上側は、例えば、波状の形状になっており、中央が他より低くなっておる。本体部分１０の下側は、肩より下方に位置する。
本体部分１０の肩より下の部分の幅は、例えば、左右の肩甲骨の間に収まる幅である。
【００１９】
本体部分１０は、ユーザが頭を上に向けたとき、ユーザの後頭部及び首に押されて、身体とは逆方向に曲がる。
本体部分１０は、曲がるほど元の形状に戻ろうとする力（復元力）が強くなる。
本体部分１０は、全体で同じ素材を利用してもよいし、肩から上の部分と下の部分とで反発力の異なる素材を利用してもよい。また、本体部分１０全体で同じ素材を利用しながらも、素材の形状や厚さによって、肩から上の部分と下の部分とで異なる剛性や反発力を有するようにしてもよい。例えば、肩から上の部分の素材を肩から下の部分の素材より薄くして、肩から上の部分が肩から下の部分より曲がりやすくしてもよい。また、肩から上の部分の素材の中央付近をくり抜いた形状にして、肩から上の部分が肩から下の部分より曲がりやすくしてもよい。
【００２０】
右側部分１１ａは、ユーザの首の右側に、周り込んで続く部材である。
左側部分１１ｂは、ユーザの首の左側に、周り込んで続く部材である。
右側部分１１ａ及び左側部分１１ｂの上下方向の幅は、肩の上から側頭部の下に収まる幅である。
【００２１】
右側部分１１ａは、本体部分１０の右端の中央近傍に接続している。左側部分１１ｂは、本体部分１０の左端の中央近傍に接続している。したがって、本体部分１０の下側は、右側部分１１ａ及び左側部分１１ｂが接続される位置よりもより下方にも伸びている。
【００２２】
本体部分１０、右側部分１１ａ、及び、左側部分１１ｂは、個別の部材であってもよいし、一つの部材で構成されていてもよい。また、右側部分１１ａ及び左側部分１１ｂが本体部分１０とは別の一つの部材で構成されていてもよい。この場合は、本体部分１０を構成する部材を、右側部分１１ａ及び左側部分１１ｂを構成する部材より、ユーザの身体側になるように配置する。本体部分１０をユーザの身体側ことで、本体部分１０にユーザの頭及び首の荷重がかかっても、本体部分１０と右側部分１１ａ及び左側部分１１ｂとの接続部分の破損の恐れを低減することができる。
【００２３】
首保持部１により、ユーザが頭を上に向けた場合の首の負担が低減される。
【００２４】
本体部分１０の部材は、曲がるほど元の形状に戻ろうとする力の強くなる部材である。しがって、本体部分１０は、ユーザは頭を上に向けるに従いより大きな力で首及び頭を元の位置である前方に押し返す力を発生させる。そのため、ユーザが頭を上に向けた場合、頭及び首が首保持部１で支持され、首の負担が低減される。
【００２５】
本体部分１０の下側は、肩より下方に位置する。したがって、ユーザは頭を上に向けたとき、本体部分１０の下側はユーザの背中に接触する。この場合、本体部分１０にかかる頭や首の重さを、本体部分１０を介して背中に逃がすことが可能となる。そのため、ユーザが頭を上に向けた場合の首の負担が低減される。
【００２６】
図２は、本発明に係るサポータを示す説明図である。
【００２７】
サポータ２は、首保持部１、第１サポータベルト２０、第２サポータベルト２１、第３サポータベルト２２を有する。サポータは、さらに、バックル２３、ストラップ２４、ジョイント２５、アジャスタ２６、アジャスタ２７を有する。
【００２８】
首保持部１は、本体部分１０、右側部分１１ａ、及び、左側部分１１ｂを有している。首保持部１については、図１において詳細を説明した。
【００２９】
第１サポータベルト２０は、第１サポータベルト２０ａ及び第１サポータベルト２０ｂを有する。
第１サポータベルト２０ａは、一方の端部を右側部分１１ａの本体部分１０とは反対側の端部側に、他方の端部をバックル２３ａに接続しているベルトである。第１サポータベルト２０ａは、第１サポータベルト２０ａの長さを調節するアジャスタ２６ａを備えている。
第１サポータベルト２０ｂは、一方の端部を左側部分１１ｂの本体部分１０とは反対側の端部側に、他方の端部をバックル２３ｂに接続しているベルトである。第１サポータベルト２０ｂは、第１サポータベルト２０ｂの長さを調節するアジャスタ２６ｂを備えている。
【００３０】
第２サポータベルト２１は、第２サポータベルト２１ａ及び第２サポータベルト２１ｂを有する。
第２サポータベルト２１ａは、一方の端部をバックル２３ａに、他方の端部をストラップ２４に接続しているベルトである。第２サポータベルト２１ａは、第２サポータベルト２１ａの長さを調節するアジャスタ２８ａを備えている。
第２サポータベルト２１ｂは、一方の端部をバックル２３ｂに、他方の端部をストラップ２４に接続しているベルトである。第２サポータベルト２１ｂは、第２サポータベルト２１ｂの長さを調節するアジャスタ２８ｂを備えている。
【００３１】
第３サポータベルト２２は、第３サポータベルト２２ａ及び第３サポータベルト２２ｂを有する。
第３サポータベルト２２ａは、一方の端部をバックル２３ａに、他方の端部をジョイント２５に接続しているベルトである。第３サポータベルト２２ａは、第３サポータベルト２２ａの長さを調節するアジャスタ２７ａを備えている。
第３サポータベルト２２ｂは、一方の端部をバックル２３ｂに、他方の端部をジョイント２５に接続しているベルトである。第３サポータベルト２２ｂは、第３サポータベルト２２ｂの長さを調節するアジャスタ２７ｂを備えている。
【００３２】
アジャスタ２６、アジャスタ２７及びアジャスタ２８は、サポートベルトの長さを調節する部材である。
【００３３】
バックル２３は、第１サポータベルト２０、第２サポータベルト２１、及び、第３サポータベルト２２を接続するバックルである。
【００３４】
ストラップ２４は、第２サポータベルト２１ａ及び第２サポータベルト２１ｂの端部と接続されたストラップである。
【００３５】
第１サポータベルト２０、第２サポータベルト２１、及び、第３サポータベルト２２をユーザに固定することにより、ユーザが上を向いて頭や首の重さが首保持部にかかった場合でも首保持部１が後退することを防ぐ。そのため、首保持部１による首の負担の軽減効果が得られる所定の位置に固定することができる。なお、首保持部１をユーザの身体の所定の地位に固定できる構造であればよく、サポートベルトの本数や接続方法、形状はこれに限られるものではない。
【００３６】
本実施形態では、第１サポータベルト２０、第２サポータベルト２１、及び、第３サポータベルト２２それぞれが、長さを調節するためのアジャスタを備えている例を説明したが、すべてのサポートベルトがアジャスタを備えている必要はなく、一部のサポートベルトのみがアジャスタを備えるようにしてもよい。また、すべてのサポートベルトがアジャスタを備えていない構成でもよい。これにより、作業中にアジャスタが破損したり、他の作業道具に引っかかったりしてしまう恐れを低減することができる。
【００３７】
本実施形態では、ストラップ２４が胸部側の第２サポータベルト２１に備えられた例を示したが、これに限られるものではなく、着脱のためのストラップが、第１サポータベルト２０または第３サポータベルト２２に備えられていてもよい。
【００３８】
図３は、本発明に係るサポータの装着例を示す説明図である。ユーザがサポータ２を装着した様子を、図３（Ａ）は斜め前から、図３（Ｂ）は側面から、図３（Ｃ）は後方から見た図である。
【００３９】
首保持部１の本体部分１０は、ユーザの後頭部下部から首より下の部分までかかっている。
【００４０】
首保持部１の右側部分１１ａ及び左側部分１１ｂは、肩の上、すなわち、首の側面部にかかっている。
【００４１】
第１サポータベルト２０は、首保持部１と接続する一方の端部が肩の胸側部分に位置し、鎖骨を通過して、バックル２３と接続するもう一方の端部が胸部もしくは腹部に位置する。第１サポータベルト２０は、ユーザの胸側を上下方向に通過する。
【００４２】
第２サポータベルト２１は、バックル２３と接続する各端部が、胸部もしくは腹部に位置する。第２サポータベルト２１は、ユーザの胸側を左右方向に通過する。
【００４３】
第３サポータベルト２２は、バックル２３と接続する各端部が、胸部もしくは腹部に位置する。第２サポータベルト２１は、ユーザの脇の下を通り、背中側を水平方向に通過する。
【００４４】
第２サポータベルト２１と第３サポータベルト２２とで、ユーザの胴体を一周している。
【００４５】
ストラップ２４は、ユーザの胸側に位置している。このため、ストラップ２４を操作しての着脱が簡便に行うことができる。
【００４６】
第１サポータベルト２０、第２サポータベルト２１、及び、第３サポータベルト２２をユーザに固定することにより、首保持部１による首の負担の軽減効果が得られる所定の位置に固定することができる。
ユーザの胴体を一周して、アジャスタ２７やアジャスタ２８で第２サポータベルト２１や第３サポータベルト２２の長さを調節することですることで、第２サポータベルト２１と第３サポータベルト２２をユーザの胴体に密着させ、固定する機能を有する。そして、動体に密着させた第２サポータベルト２１と第３サポータベルト２２に第１サポータベルト２０を接続して、アジャスタ２６で第１サポータベルト２０の長さを調節することで、第１サポータベルト２０とそれに接続された首保持部１を固定することができる。
【００４７】
本実施形態では、第１サポータベルト２０がユーザの胸側を上下方向に通過する例を説明したが、これに限られるものではなく、例えば、肩から胴体の胸側の中心に向かって斜めに通過し、ストラップ２４の位置で、第２サポータベルト２１と接続するようにしてもよい。
【００４８】
図４は、本発明に係る接続部分を示す説明図である。図４（Ａ）はバックル２３を、図４（Ｂ）はストラップ２４の詳細を説明する図である。
【００４９】
バックル２３は、第１サポータベルト２０、第２サポータベルト２１、及び、第３サポータベルト２２それぞれを回動可能に接続する、三枝分岐状のバックルである。
本実施形態においては、バックル２３に回動可能に接続された各サポートベルトがアジャスタで固定される例を示したが、これに限られるものではなく、バックル２３に通したベルトをバックル２３近傍で縫製構造にして、回動する範囲を限定するようにしてもよい。
【００５０】
バックル２３は、第１サポータベルト２０、第２サポータベルト２１、及び、第３サポータベルト２２を接続可能なものであればその形状を問わない。また、第２サポータベルト２１及び第３サポータベルト２２を一体の構造のものにして、それに二枝分岐状のバックルを介して第１サポータベルト２０を接続するようにしてもよい。さらに、第１サポータベルト２０、第２サポータベルト２１、及び、第３サポータベルト２２を縫製構造にして直接接続してもよく、その場合は、バックル２３は不要である。
【００５１】
ストラップ２４は、第２サポータベルト２１ａ側と第２サポータベルト２１ｂ側に分裂した構造を有し、第２サポータベルト２１ａ側のストラップ２４と第２サポータベルト２１ｂ側のストラップ２４を接続することで、第２サポータベルト２１ａと第２サポータベルト２１ｂとが接続される。ストラップ２４により、サポータ２はユーザに着脱可能となっている。ストラップ２４は、ストラップの他、尾錠、バックル、面ファスナーなど、第２サポータベルト２１ａと第２サポータベルト２１ｂを接続可能な部材であればよい。
【００５２】
＜実施形態の構成及び効果＞
サポータ２は、ユーザの少なくとも首の肩側から後頭部下部に掛かる首保持部１を有する。首保持部１は、ユーザが頭を上に向けるに従いより大きな力でユーザの首及び頭を前方に押し返す力を発生させる。
このような構成を有することから、上を向いて作業を行うユーザの首にかかる負担を低減する効果がある。
【００５３】
首保持部１は、形状保持具によって形状が保持されている。形状保持具は、少なくとも首の肩側から後頭部下部まで続く本体部分１０と、本体部分１０と連続しユーザの首の左側に回り込んで続く左側部分１１ｂと、本体部分１０と連続しユーザの首の右側に回り込んで続く右側部分１１ａとを有する。
このような構成を有することから、肩により首保持部１の位置が固定され、サポータ２の位置が安定する効果がある。また、このような構成を有することから、頭の重さを、サポータ２を介して肩に逃がすことができ、ユーザの首にかかる負担を低減する効果がある。
【００５４】
本体部分１０は、左側部分１１ｂ及び右側部分１１ａが接続される位置よりも下方にも伸びている。
このような構成を有することから、背中により首保持部１の位置が固定され、サポータ２の位置が安定する効果がある。また、このような構成を有することから、頭の重さを、サポータ２を介して背中に逃がすことができ、ユーザの首にかかる負担を低減する効果がある。
【００５５】
サポータ２は、首保持部１に接続される第１サポータベルト２０を有し、第１サポータベルト２０は、左側部分１１ｂと右側部分１１ａのそれぞれの本体部分１０とは反対側の端部側において接続されている。
このような構成を有することから、首保持部１の位置が固定され、サポータ２の位置が安定する効果がある。サポータ２の位置が安定することで、設計通りの復元力が作用し、ユーザの首の負担を低減する効果がある。
【００５６】
第１サポータベルト２０は、ユーザの胸側を通過してユーザに固定されることによって首保持部１が後退することを防いでいる。
このような構成を有することから、首保持部１の位置が固定され、サポータ２の位置が安定する効果がある。サポータ２の位置が安定することで、設計通りの復元力が作用し、ユーザの首の負担を低減する効果がある。
【００５７】
サポータ２は、ユーザの体の胸側を通過する第２サポータベルト２１と、ユーザの体の背中側を通過する第３サポータベルト２２とを有する。第２サポータベルト２１と第３サポータベルト２２とで、ユーザの胴体部分を一周して密着させることによって第２サポータベルト２１と第３サポータベルト２２をユーザに固定する。第２サポータベルト２１と第３サポータベルト２２が接続される位置で、第１サポータベルト２０と接続される。
このような構成を有することから、首保持部１の位置が固定され、サポータ２の位置が安定する効果がある。サポータ２の位置が安定することで、設計通りの復元力が作用し、ユーザの首の負担を低減する効果がある。
【００５８】
本発明の構造、材料、各部材の連結、各部材の装着位置などは、本発明の要旨を変更しない範囲で様々に変形および変更が可能である。
例えば、２つ以上の部材を１つにすることも可能であるし、逆に、１つの部材を２つ以上の別の部材で構成して接続することも可能である。
ストラップ、バックル及びアジャスタの材質も、金属、プラスチック等を自由に選択することが可能である。
また、上記実施形態は、あくまでも、現在のところの最良の形態の１つにすぎない。
【００５９】
＜定義等＞
本発明におけるユーザは、上を向く動作を行う者であればどのような者であっても良い。
例えば、ユーザは、直接作業を行わない、例えば、高所の作業を地上から監督する監督者も含む。
さらに、本発明のユーザは、所定の作業をするものだけではなく、所定のスポーツの為、運転等の操縦の為、鑑賞・監視・観測の為、所定のサービスを行うため為等の理由から上を向く動作をするものであってもよい。
加えて、治療の為、身体の障害の為、所定の上を向く姿勢を維しなければならない場合であってもよい。
逆に、治療の為、身体の障害の為等の理由から、上を向く動作をできるだけしないようにするという用途にも使用可能である。
【符号の説明】
【００６０】
１      首保持部
２      サポータ
１０    本体部分
１１ａ  右側部分
１１ｂ  左側部分
２０    第１サポータベルト
２１    第２サポータベルト
２２    第３サポータベルト
【図１】
2018193627.tif 000003
【図２】
2018193627.tif 000004
【図３】
2018193627.tif 000005
【図４】
2018193627.tif 000006